(57)【要約】      （修正有）【課題】ハンドルやカートなどの握り部分の一部に凹凸又は波形を設け、手に刺激を与えるグリップシートを貼付、運転走行中は勿論、信号待ち時などに、意識してシート部分を握ることにより、集中力を維持し、把握感を補充するグリップシートを提供する。【解決手段】シートの片面に凹凸又は波形２を設け、指と指の間にも接触させて、握っている部分の接触面積を増やし、手、指などを刺激できるようにしてグリップシートを構成する。該グリップシートは、その端部に面ファスナー３ａ、３ｂ等を取りつけて、自動車や自転車のハンドルに装着する。【選択図】図１
0003161497.tif 000002
【実用新案登録請求の範囲】
【請求項１】
シートの片面に凹凸又は波形を設けることを特徴とする握り部に使用するグリップシート。
【請求項２】
着脱にマジックテープを使用した請求項１のシート。
【考案の詳細な説明】
【技術分野】
【０００１】  本考案は、自動車ハンドルなどの握り部に使用する凹凸又は波形を設けたグリップシートに関するものである。
【背景技術】
【０００２】  自動車などのハンドルやカートの握り部は、平滑で握った場合に指と指との間に何もないので、刺激が無く頼りない感じである。
【考案の開示】
【考案が解決しようとする課題】
【０００３】  ハンドルやカートなどの握り部分は、平滑なために、ただ握っているという慢性的なものとなっており安心感が欠ける。従って、握り部分の一部に凹凸又は波形を設けた、手に刺激を与えるグリップシートを貼付、運転走行中は勿論、信号待ち時などに、意識してシート部分を握ることにより、集中力を維持し、把握感が補充され前述の欠点を解決しようとするものである。
【課題を解決するための手段】
【０００４】  本考案は、シートの片面に凹凸又は波形を設け、指と指の間にも接触させて、握っている部分の接触面積を増やし、手、指などを刺激することにより問題点を解決している。
【考案の効果】
【０００５】  上述のように、本考案の凹凸又は波形付グリップシートは、平滑なハンドルに凹凸又は波形付グリップシートを貼り付けたので、ハンドルなどを握ったときに、指との接触面積が増し、把握感を補充するので、安定、安心を感じ、刺激を受けることにより爽快感を増すことができる。
【考案を実施するための最良の形態】
【０００６】  片面に凹凸又は波形シートにマジックテープ等を取付け、取っ手に巻き付けることにより機能を発揮する。凹凸又は波形の高さや間隔は指の太さや隙間を考慮するが、余りこだわることはない。【０００７】  自動車等のハンドルに着脱可能な状態でグリップシート巻き付けることにより、凹凸又は波形付把手にすることが出来る。
【実施例】
【０００８】  以下、添付図面に従って実施例１を説明する。凹凸又は波形付グリップシート１は凹凸又は波形付シート２に、貼付用マジックテープ３ａ、３ｂで構成する。【０００９】  凹凸又は波形付シート２には、滑らかな凹凸または波形を全体に付ける。
【図面の簡単な説明】
【００１０】
【図１】本考案の凹凸又は波形付グリップシートの実施例１を示す。
【図２】実施例１のシート断面図を示す。
【図３】自動車ハンドルに貼り付けた断面実施例１
【図４】自動車ハンドル部に貼り付けた実施例１
【符号の説明】
【００１４】１    凹凸又は波形付グリップシート
２    凹凸又は波形付シート
３ａ  表面のマジックテープ部
３ｂ  裏側のマジックテープ部
４    自動車ハンドルに貼り付けた断面
５    自動車ハンドル
【図１】
0003161497.tif 000003
【図２】
0003161497.tif 000004
【図３】
0003161497.tif 000005
【図４】
0003161497.tif 000006
【手続補正書】
【提出日】平成22年1月22日(2010.1.22)
【手続補正１】
【補正対象書類名】実用新案登録請求の範囲
【補正対象項目名】全文
【補正方法】変更
【補正の内容】
【実用新案登録請求の範囲】
【請求項１】
シートの片面に凹凸又は波形を設けることを特徴とするシートで、自動車ハンドルなどの握り部の一部に装着してグリップシートとして使用する。
【請求項２】
装着するときの着脱にマジックテープ（登録商標）を使用した請求項１のシート。
【手続補正２】
【補正対象書類名】明細書
【補正対象項目名】全文
【補正方法】変更
【補正の内容】
【考案の詳細な説明】
【技術分野】
【０００１】  本考案は、自動車ハンドルなどの握り部の一部に装着して使用する凹凸又は波形を設けたグリップシートに関するものである。
【背景技術】
【０００２】  自動車などのハンドルやカートの握り部は、平滑で握った場合に指と指との間に何もないので、刺激が無く頼りない感じである。
【考案の開示】
【考案が解決しようとする課題】
【０００３】  自動車などのハンドルやカートなどの握り部分は、平滑なために、ただ握っているという慢性的なものとなっており安心感が欠ける。従って、握り部分の一部に凹凸又は波形を設けた、手に刺激を与えるグリップシートを装着し、運転走行中は勿論、信号待ち時などに、意識してグリップシート部分を握ることにより、集中力を維持し、把握感が補充され前述の欠点を解決しようとするものである。
【課題を解決するための手段】
【０００４】  本考案は、シートの片面に凹凸又は波形を設け、指と指の間にも接触させて、握っている部分の接触面積を増やし、手、指などを刺激することにより問題点を解決している。
【考案の効果】
【０００５】  上述のように、本考案の凹凸又は波形付グリップシートは、平滑なハンドルの握り部の一部に装着することにより、ハンドルなどを握ったときに、指との接触面積が増し、把握感を補充するので、安定、安心を感じ、刺激を受けることにより爽快感を増すことができる。
【考案を実施するための最良の形態】
【０００６】  片面に凹凸又は波形シートの端部にマジックテープ（登録商標）等を取付けると、ハンドルなどの握り部に簡単に装着できる。凹凸又は波形の高さや間隔は指の太さや隙間を考慮するが、余りこだわることはない。【０００７】  自動車などのハンドルに凹凸又は波形付グリップシートを装着することにより、凹凸又は波形付ハンドルにすることが出来る。
【実施例】
【０００８】  以下、添付図面に従って実施例１を説明する。凹凸又は波形付グリップシート１は凹凸又は波形付シート２の端部にマジックテープ（登録商標）３ａ、３ｂを貼り付けたものである。【０００９】  凹凸又は波形付シート２には、滑らかな凹凸または波形を全体に付ける。
【図面の簡単な説明】
【００１０】
【図１】本考案実施例１の凹凸又は波形付グリップシートを示した展開図である。
【図２】実施例１のシートの断面を示した側面図である。
【図３】自動車のハンドルに装着した状態を示した実施例１の断面である。
【図４】自動車のハンドル部に装着した実施例１の正面図である。
【符号の説明】
【００１４】  １  凹凸又は波形付グリップシート
２  凹凸又は波形付シート
３ａ  表面のマジックテープ（登録商標）部
３ｂ  裏側のマジックテープ（登録商標）部
４  自動車のハンドルに装着した状態の断面
５  自動車のハンドル
【手続補正書】
【提出日】平成22年5月13日(2010.5.13)
【手続補正１】
【補正対象書類名】実用新案登録請求の範囲
【補正対象項目名】全文
【補正方法】変更
【補正の内容】
【実用新案登録請求の範囲】
【請求項１】
握り部の一部に巻き付けて装着するグリップシートにおいて、シートの片面に凹凸又は波形が設けられていることを特徴とするシート。
【請求項２】
前記シートには、巻き付けて固定するためのマジックテープ（登録商標）が設けられていることを特徴とする請求項１に記載のシート。